(57)【要約】【課題】構造空間を節約することができ、少ない部品点数のカーボンガイド付き転向自在の整流子切替スイッチを得る。【解決手段】カーボンガイド２を有する転向自在な整流子切替スイッチ１の２個のステータ接点３ａ，３ｂはそれぞれ、直径方向に互いに対向する２個のカーボンガイド２に導通するよう接続した接点レール５ａ，５ｂの一部にわたり延在する少なくとも１個の接点部分４ａ，４ｂ，４ｃに接触するようにした整流子切替スイッチ１において、一方の接点レール５ａは、少なくとも半周にわたり延在して２個の接点部分４ａ，４ｂを有し、双方のステータ接点３ａ，３ｂは、それぞれ周方向に延在する接点レール５ａ，５ｂのいずれか一方における転向自在の少なくとも１個の接点部分４ａ，４ｂ，４ｃとの接触状態に切り替わることができるよう配置し、ステータ６のそれぞれ一方の側面に配置する。【選択図】　　　　図１
2004007976.tif 000002
【特許請求の範囲】
【請求項１】
交直両用電動モータの回転方向転換のために、カーボンガイド（２）を有する転向自在な整流子切替スイッチであって、２個のステータ接点（３ａ，３ｂ）を設け、前記ステータ接点（３ａ，３ｂ）は、それぞれ少なくとも１個の接点部分（４ａ，４ｂ，４ｃ）に接触し、これら接点部分（４ａ，４ｂ，４ｃ）は、接点レール（５ａ，５ｂ）の一部にわたり延在し、これら接点レール（５ａ，５ｂ）を、直径方向に互いに対向する２個のカーボンガイド（２）に導通するよう接続した整流子切替スイッチにおいて、一方の接点レール（５ａ）は、少なくとも半周にわたり延在して２個の接点部分（４ａ，４ｂ）を有し、双方のステータ接点（３ａ，３ｂ）は、それぞれ周方向に延在する前記接点レール（５ａ，５ｂ）のいずれか一方における転向自在の少なくとも１個の接点部分（４ａ，４ｂ，４ｃ）との接触状態に切り替わることができるよう配置し、ステータ（６）のそれぞれ一方の側面に配置したことを特徴とする整流子切替スイッチ。
【請求項２】
前記他方の接点レール（５ｂ）は、双方のステータ接点（３ａ，３ｂ）に対して正確に交互接触切替可能な接点部分を設けた請求項１記載の整流子切替スイッチ。
【請求項３】
前記双方の接点レール（５ａ，５ｂ）を半径方向に互いに離し、かつ軸線方向には同一平面上に配置した請求項１又は２記載の整流子切替スイッチ。
【請求項４】
接点レール（５ａ，５ｂ）を、少なくとも部分的にばね負荷を付与した接点ばねブレードとして構成した請求項１乃至３のうちのいずれか一項に記載の整流子切替スイッチ。
【請求項５】
交直両用電動モータに対して直接一体構造にした請求項１乃至４のうちのいずれか一項に記載の整流子切替スイッチ。
【請求項６】
前記接点レールを交直両用電動モータにおいて直接転向可能に構成した請求項５記載の整流子切替スイッチ。
【請求項７】
前記ステータ（６）の長手方向に見て前記ステータ接点（３ａ，３ｂ）に互いに対向して、交直両用電動モータのプラグコンセントの形式の電流供給接続部（７）を配置した請求項１乃至６のうちのいずれか一項に記載の整流子切替スイッチ。
【発明の詳細な説明】
【０００１】
【発明の属する技術分野】
本発明は、手工具装置に組み込むのが好ましい交直両用電動モータにおける回転方向を切り替えるためのカーボンガイドを有する転向自在の整流子切替スイッチに関するものである。
【０００２】
【従来の技術】
通常、回転方向を切り替えるための転向自在の整流子切替スイッチとして構成したカーボンガイドを有する転向自在カーボンホルダは、直径方向に互いに対向する２個のステータ接点を設け、周方向に部分的に延在して直径方向に対向する接点レールがこれら２個のステータ接点の接点部分に接触し、これら接点レールは直径方向に対向する双方のカーボンガイドの双方に導通するよう接続する。これにより、整流子切替スイッチを切り替える際と、一方では接点部分がステータ接点に交代接触することにより電機子巻線は磁極が交換され、他方では磁極平面から回転方向に基づいてカーボンガイドが転向する。本発明はこのような整流子切替スイッチに関する。
【０００３】
独国特許第３７３１０７９号及び同第３９４３６５１号には、直径方向に互いに対向する２個のステータ接点を有するこのような整流子切替スイッチが記載されており、この場合、各ステータ接点の両側に構造空間を必要とし、従って、手工具装置には極めて余裕のないものになってしまう。
【０００４】
独国特許第３７４４４８８号には、直径方向に互いに対向して離れる２個の切替ブリッジ接点を有する交直両用電動モータの切替リングが記載されており、この切替ブリッジ接点に対して固定のカーボンガイドが回転方向の際に切り替え可能にプレス加工した格子体に接触し、この格子体はステータの各側面において双方のステータ接点に接続する。プレス加工した格子体に固定的に接続することが必須であり、かつ回転方向には依存しないよう磁極平面から転向自在のカーボンガイドは、高い負荷が加わる際に電機子反作用によって、激しいブラシ作用の火花を生じ、このことはカーボンの磨耗を生ずる。更に、ステータ接点と切替ブリッジ接点との間に中間導線を負荷する必要があり、従って、転向可能な切替リングは多部分構成とならざるを得なかった。
【０００５】
更に、独国特許第１９５２１７０２号には低圧等電流マシンが記載されており、この場合、カーボンガイド間の１個の固定式ブラシブロックに部分的に周方向に延在する２個の固定式磁極接続導線を配置し、少なくとも一方の磁極接続導線を半周にわたり延在させている。
【０００６】
【発明が解決しようとする課題】
本発明の目的は、構造空間を節約することができるカーボンガイド付き転向自在の整流子切替スイッチを得るにある。更に、本発明の他の目的は、少ない部品点数の一体構成の転向自在整流子切替スイッチを得るにある。
【０００７】
【課題を解決するための手段】
この目的を達成するため、本発明は、交直両用電動モータの回転方向転換のために、カーボンガイドを有する転向自在な整流子切替スイッチであって、２個のステータ接点を設け、前記ステータ接点は、それぞれ少なくとも１個の接点部分に接触し、これら接点部分は、接点レールの一部にわたり延在し、これら接点レールを、直径方向に互いに対向する２個のカーボンガイドに導通するよう接続した整流子切替スイッチにおいて、一方の接点レールは、少なくとも半周にわたり延在して２個の接点部分を有し、双方のステータ接点は、それぞれ周方向に延在する前記接点レールのいずれか一方における転向自在の少なくとも１個の接点部分との接触状態に切り替わることができるよう配置し、ステータのそれぞれ一方の側面に配置したことを特徴とする。
【０００８】
このように本発明によれば、２個の接点部分を有して半周にわたり延在する接点レールは、ステータの各側面に配置したステータ接点の双方に交互に切り替わることができ、回転方向に基づいて電機子巻線は磁極が切り替わるとともに、カーボンガイドも切り替わることになる。このようにして、ステータの他方の側の自由空間は他の構成グループのために使用することができるようになる。
【０００９】
好適には、他方の接点レールは、双方のステータ接点に対して正確に交互接触切替可能な接点部分を設け、この場合、動作の信頼性が向上する。
【００１０】
更に、好適には、双方の接点レールを半径方向に互いに離し、かつ軸線方向には同一平面上に配置する。
【００１１】
接点レールを、少なくとも部分的にばね負荷を付与した接点ばねブレードとして構成すると、ステータ接点に対する掃引接触抵抗が軽減されて好適である。
【００１２】
また、交直両用電動モータに対して直接一体構造にし、接点レールを交直両用電動モータにおいて直接転向可能に構成すると、ステータ接点から接点レールに至る中間導線並びに整流子切替スイッチの部分間の転向軸受が不要になる。
【００１３】
更にまた、ステータの長手方向に見て前記ステータ接点に互いに対向して、交直両用電動モータのプラグコンセントの形式の電流供給接続部を配置すると、小さい構造空間でも十分適合することができて好適である。
【００１４】
【発明の実施の形態】
次に、図面につき本発明の好適な実施の形態を説明する。
【００１５】
図面に示すように、整流子側を露出して示した交直両用電動モータの回転方向転換のために、カーボンガイド２を有する転向自在な整流子切替スイッチ１（仮想線で示す）に２個のステータ接点３ａ，３ｂを設ける。ステータ接点３ａ，３ｂは、それぞれ少なくとも１個の接点部分４ａ，４ｂ，４ｃに接触し、これら接点部分４ａ，４ｂ，４ｃは、部分的にばね負荷を付与された接点ばねブレードの形式の図示の接点レール５ａ，５ｂの一部にわたり延在し、これら接点レール５ａ，５ｂは、直径方向に互いに対向する２個のカーボンガイド２に導通するよう接続する。一方の接点レール５ａは、少なくとも半周にわたり、好適には、周方向の約３００゜の範囲にわたり延在し、２個の接点部分４ａ，４ｂを有する。他方の接点レール５ｂは、双方のステータ接点３ａ，３ｂに対して正確に交互接触切替可能な接点部分４ｃを設ける。双方の接点レール５ａ，５ｂは半径方向に互いに離れ、かつ軸線方向には同一平面上に配置する。双方のステータ接点３ａ，３ｂは、それぞれ周方向に延在する接点レール５ａ，５ｂのいずれか一方における転向自在の少なくとも１個の接点部分４ａ，４ｂ，４ｃとの接触状態に切り替わることができるよう配置し、ステータ６のそれぞれ一方の側面に配置する。ステータ６の長手方向に見てステータ接点３ａ，３ｂに互いに対向して、交直両用電動モータのプラグコンセントの形式の電流供給接続部７を配置する。回転方向切り替え可能な整流子１を交直両用電動モータに対して直接一体構造にする。更に、ステータ接点３ａ，３ｂと接点レール５ａ，５ｂとの間における中間導通は生ずることはなく、これは、接点レールの接点部分４ａ，４ｂ，４ｃは、ステータ接点３ａ，３ｂの位置に直接配置するからである。
【図面の簡単な説明】
【図１】本発明整流子切替スイッチの好適な実施例における細部を示す説明図である。
【符号の説明】
１　整流子切替スイッチ
２　カーボンガイド
３ａ，３ｂ　ステータ接点
４ａ，４ｂ，４ｃ　接点部分
５ａ，５ｂ　接点レール
６　ステータ
７　電流供給接続部
【図１】
2004007976.tif 000003